【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
サーバコンピュータによって、
加盟している資源提供エンティティのリストを、オーソリゼーションコンピュータへ送信することであって、前記オーソリゼーションコンピュータが、ユーザデバイスを操作するユーザに、前記加盟している資源提供エンティティのリストから選択をするように促す、送信することと、
前記加盟している資源提供エンティティからの、一つ以上の資源提供エンティティの選択を受信することと、
前記一つ以上の資源提供エンティティに対して、前記ユーザのアカウントと関連付けられた支払トークンを発行する要求を通信ネットワークを介して受信することと、
前記一つ以上の資源提供エンティティの各々に対して、
前記ユーザの前記アカウントと関連付けられた支払トークンを判定することとであって、前記支払トークンは、前記アカウントに関連付けられた実際のアカウント識別子の代替となるユーザのアカウントに対する識別子である、判定することと、
前記資源提供エンティティと関連付けられる、資源提供エンティティコンピュータに、前記サーバコンピュータから直接前記支払トークンを送信することであって、前記ユーザが、前記支払トークンを使用して、前記資源提供エンティティとトランザクションを行う、送信することと、を実施することを含む、方法。
【請求項２】
前記オーソリゼーションコンピュータがサポートする認証方法を判定することと、
前記加盟している資源提供エンティティのリストの各々に対して、
前記加盟している資源提供エンティティがサポートする認証方法を判定することと、
前記加盟している資源提供エンティティがサポートする認証方法と、前記オーソリゼーションコンピュータがサポートする前記認証方法とを比較することと、
前記比較された認証方法が合致すると判定すると、前記加盟している資源提供エンティティのリストに、前記加盟している資源提供エンティティを含めることと、をさらに含む、請求項１に記載の方法。
【請求項３】
前記加盟している資源提供エンティティのうちの少なくとも一つが、前記ユーザ用の記録されたアカウントを有すると判定することと、
前記ユーザが前記記録されたアカウントを有する、前記少なくとも一つの加盟している資源提供エンティティを示す情報を、前記オーソリゼーションコンピュータへ送信することと、をさらに含む、請求項２に記載の方法。
【請求項４】
前記ユーザによる前記一つ以上の資源提供エンティティの前記選択は、前記ユーザ用の記録されたアカウントを有する、加盟している資源提供エンティティを含み、前記ユーザは、前記記録されたアカウントを使用して、前記トランザクションを行う、請求項３に記載の方法。
【請求項５】
前記サーバコンピュータへ送るリンクを生成することと、
前記オーソリゼーションコンピュータへ前記リンクを送信することであって、前記ユーザは、前記オーソリゼーションコンピュータが前記ユーザに促した後、前記ユーザデバイスを使用して前記リンクを起動させる、送信することと、をさらに含む、請求項１に記載の方法。
【請求項６】
前記ユーザにより選択された、前記複数の加盟している資源提供エンティティの各々に対して、
前記ユーザに、前記加盟している資源提供エンティティ用の認証情報を入力するように促すことと、
前記加盟している資源提供エンティティへ前記認証情報を送信することと、をさらに含む、請求項５に記載の方法。
【請求項７】
前記認証情報は、前記加盟している資源提供エンティティと関連付けられた、前記ユーザ用の新規アカウントを生成するために利用される、請求項６に記載の方法。
【請求項８】
前記複数の資源提供エンティティへ送る、複数のリンクを生成することと、
前記オーソリゼーションコンピュータへ前記複数のリンクを送信することであって、前記ユーザは、前記オーソリゼーションコンピュータが前記ユーザに促した後、前記ユーザデバイスを使用して前記複数のリンクを起動させる、送信することと、をさらに含む、請求項１に記載の方法。
【請求項９】
前記アカウントは、新規のアカウントであり、
前記オーソリゼーションコンピュータから、前記アカウントと関連付けられたアカウント情報を受信すること、をさらに含む、請求項１に記載の方法。
【請求項１０】
前記アカウントは、既存のアカウントであり、
前記アカウントと関連付けられたアカウント情報を読み出すこと、をさらに含む、請求項１に記載の方法。
【請求項１１】
プロセッサと、
前記プロセッサに連結される、コンピュータ可読媒体であって、
加盟している資源提供エンティティのリストを、オーソリゼーションコンピュータへ送信することであって、前記オーソリゼーションコンピュータが、ユーザデバイスを操作するユーザに、前記加盟している資源提供エンティティのリストから選択をするように促す、送信することと、
前記加盟している資源提供エンティティからの、一つ以上の資源提供エンティティの選択を受信することと、
前記一つ以上の資源提供エンティティに対して、前記ユーザのアカウントと関連付けられた支払トークンを発行する要求を通信ネットワークを介して受信することと、
前記一つ以上の資源提供エンティティの各々に対して、
前記ユーザの前記アカウントと関連付けられた支払トークンを判定することとであって、前記支払トークンは、前記アカウントに関連付けられた実際のアカウント識別子の代替となるユーザのアカウントに対する識別子である、判定することと、
前記資源提供エンティティと関連付けられる、資源提供エンティティコンピュータに、前記サーバコンピュータから直接前記支払トークンを送信することであって、前記ユーザが、前記支払トークンを使用して、前記資源提供エンティティとトランザクションを行う、送信することと、を含む方法を実施するために実行可能なコードを含む、コンピュータ可読媒体と、を備えるサーバコンピュータ。
【請求項１２】
前記方法は、
前記オーソリゼーションコンピュータがサポートする認証方法を判定することと、
前記加盟している資源提供エンティティのリストの各々に対して、
前記加盟している資源提供エンティティがサポートする認証方法を判定することと、
前記加盟している資源提供エンティティがサポートする認証方法と、前記オーソリゼーションコンピュータがサポートする前記認証方法とを比較することと、
前記比較された認証方法が合致すると判定すると、前記加盟している資源提供エンティティのリストに、前記加盟している資源提供エンティティを含めることと、をさらに含む、請求項１１に記載のサーバコンピュータ。
【請求項１３】
前記方法は、
前記加盟している資源提供エンティティのうちの少なくとも一つが、前記ユーザ用の記録されたアカウントを有すると判定することと、
前記ユーザが前記記録されたアカウントを有する、前記少なくとも一つの加盟している資源提供エンティティを示す情報を、前記オーソリゼーションコンピュータへ送信することと、をさらに含む、請求項１２に記載のサーバコンピュータ。
【請求項１４】
前記ユーザによる前記一つ以上の資源提供エンティティの前記選択は、前記ユーザ用の記録されたアカウントを有する、加盟している資源提供エンティティを含み、前記ユーザは、前記記録されたアカウントを使用して、前記トランザクションを行う、請求項１３に記載のサーバコンピュータ。
【請求項１５】
前記方法は、
前記サーバコンピュータへ送るリンクを生成することと、
前記オーソリゼーションコンピュータへ前記リンクを送信することであって、前記ユーザは、前記オーソリゼーションコンピュータが前記ユーザに促した後、前記ユーザデバイスを使用して前記リンクを起動させる、送信することと、をさらに含む、請求項１１に記載のサーバコンピュータ。
【請求項１６】
前記方法は、
前記ユーザにより選択された、前記複数の加盟している資源提供エンティティの各々に対して、
前記ユーザに、前記加盟している資源提供エンティティ用の認証情報を入力するように促すことと、
前記加盟している資源提供エンティティへ前記認証情報を送信することと、をさらに含む、請求項１５のサーバコンピュータ。
【請求項１７】
前記認証情報は、前記加盟している資源提供エンティティと関連付けられた、前記ユーザ用の新規アカウントを生成するために利用される、請求項１６に記載のサーバコンピュータ。
【請求項１８】
前記方法は、
前記複数の資源提供エンティティへ送る、複数のリンクを生成することと、
前記オーソリゼーションコンピュータへ前記複数のリンクを送信することであって、前記ユーザは、前記オーソリゼーションコンピュータが前記ユーザに促した後、前記ユーザデバイスを使用して前記複数のリンクを起動させる、送信することと、をさらに含む、請求項１１に記載のサーバコンピュータ。
【請求項１９】
前記アカウントは、新規のアカウントであり、前記方法は、
前記オーソリゼーションコンピュータから、前記アカウントと関連付けられたアカウント情報を受信すること、をさらに含む、請求項１１に記載のサーバコンピュータ。
【請求項２０】
前記アカウントは、既存のアカウントであり、前記方法は、
前記アカウントと関連付けられたアカウント情報を読み出すこと、をさらに含む、請求項１１に記載のサーバコンピュータ。